(57)【要約】切換スイッチをマトリクス状に配設して互いに接続したクロスコネクトマトリクスユニットを設け、このクロスコネクトマトリクスユニットを構成する各切換スイッチの切換状態をソフトウェアで制御し、もって運用回線用回路接続と回線試験用回路接続とを任意に設定可能な構成である。
2003065652.tif 000002
【特許請求の範囲】
【請求項１】
通信回線網に設けられ、前記回線網における接続を制御する伝送装置であって、
複数の入力ポートに供給された入力信号を夫々任意の複数の出力ポートに出力し得る構成よりなり、運用回線による回路と回線試験用回路とを任意に設定可能な信号切換手段よりなる伝送装置。
【請求項２】
前記信号切換手段における接続回路設定はソフトウェアプログラムの設定によってなされる構成の請求の範囲第１項に記載の伝送装置。
【請求項３】
前記信号切換手段は複数の切換スイッチ手段がマトリクス状に配置接続された構成よりなる請求の範囲第１項または第２項に記載の伝送装置。
【請求項４】
当該ユーザ以外のユーザによる回線試験用回路構成の変更を禁止する構成を有する請求の範囲第１項乃至第３項にうちのいずれか一項に記載の伝送装置。
【請求項５】
回線試験中に外部配線ケーブルの接続が切れたことを検出すると信号切換手段を当該回線試験前の接続状態に戻す構成を有する請求の範囲第１項乃至第４項のうちのいずれか一項に記載の伝送装置。
【発明の詳細な説明】
技術分野
本発明は伝送装置に係り、特に通信回線網において回線交換等の機能ユニットとして使用される伝送装置を効率的に回線試験に適用可能な構成に関する。
背景技術
通信回線網においてはその信頼性が重要視され、何らかの事故等によって回線が正しく制御できなくなるとなるというような事態を防ぐために随時回線試験（Ｔｅｓｔ  Ａｃｃｅｓｓ）を実施している。この回線試験は回線網の機能を検証するためものであり、以下に具体例を挙げて説明する。
図１は回線網運用時の構成を示す。ここでは３機の伝送装置ＮＥａ、ＮＥｂ、ＮＥｃが接続されており、このうちＮＥｂに回線試験用試験装置５０を接続し、回線試験を行う場合を想定する。なお、これら伝送装置のうち、ＮＥａ、ＮＥｂは基幹系回線Ｌｂに設けられており、Ｎｃはアクセス系（加入者側）回線Ｌａに設けられているものとする。又、伝送装置ＮＥｂにはアクセス系回線ＬａへのクロスコネクトＣａが設定されているものとする。
図２は、規格Ｔｅｌｃｏｒｄｉａ  Ｔｅｃｈｎｏｌｏｇｉｅｓ  Ｇｅｎｅｒｉｃ  Ｒｅｑｕｉｒｅｍｅｎｔｓ：ＧＲ−８３４−ＣＯＲＥ（２０００年６月３日発行）、Ｔｅｌｃｏｒｄｉａ  Ｔｅｃｈｎｏｌｏｇｉｅｓ：ＦＲ−４７６等で標準化されている試験方法のうちの、ＭＯＮＥモードと称される接続方法による接続例を示し、この場合、アクセス系回線Ｌａからの回線が試験用接続Ｔａにより、Ｅ（加入者側装置向け）ポートを介して試験装置５０に接続され、アクセス系回線Ｌａの状態をモニタして試験を実施する。
図３は上記標準のＭＯＮＥＦモードと称される接続方法による接続例を示し、この場合、試験用接続Ｔにより、Ｅポートでアクセス系回線、Ｆポートで基幹系回線の夫々の状態をモニターして試験を実施する。
図４は同ＳＰＬＴＥモードによる接続方法の接続例を示し、この場合、運用中のクロスコネクト接続Ｃａを解除してＥポートへの接続に切り換え、Ｅポートからテスト信号を送信し、その応答信号を測定してアクセス系回線の試験を行う。
図５は同ＳＰＬＴＥＦモードによる接続方法の接続例を示し、この場合も運用中のクロスコネクト接続Ｃａを解除してＥポート及びＦポートへの接続に切り換え、それらのポートからテスト信号を送信し、その応答信号を測定してアクセス系回線及び基幹系回線の試験を行う。
又、図６、図７はこのような伝送装置ＮＥにおけるインタフェースカードの実装状態を説明するための図である。図示の如く、伝送装置ＮＥでは、従来、高次群側（基幹系）インタフェースカードの実装位置と低次側群（アクセス系）インタフェースカードの実装位置が予め決められたいた。更に、図８Ａ、８Ｂに示す如く、伝送装置ＮＥでは、その信号伝送方向毎に専用のクロスコネクトユニットを設けた構成であった。
又、図９はこのような伝送装置ＮＥにおいて想定し得る、上述の如くの回線試験時の伝送装置ＮＥ内の接続状態を説明するための図である。ここで、ＩＦｎ、ＩＦｍは夫々伝送装置ＮＥに実装されているインタフェースカードを示し、ＳＬｊは伝送装置ＮＥに実装されているクロスコネクト機能を有するスイッチングユニットであり、ＳＬｉは、回線試験専用のセレクタユニットであり、試験時に当該伝送装置ＮＥの該当スロットに差し込んで使用されるものである。
このように従来は、例えばインタフェースカードＩＦｎが試験対象の回線用インタフェースを構成するものである場合、操作員が該当する伝送装置ＮＥの設置位置に出向き、そこでインタフェースカード上に設けられた試験回線、運用回線切換用セレクタを試験回線用に切り換えることによってスイッチングユニットＳＬｊへの接続が試験用のセレクタユニットＳＬｉ側に切り換えられる。このように、従来技術では伝送装置内に回線試験専用のセレクタユニットを差し込み、更に試験対象のインタフェースカード上の切換用セレクタスイッチを切り換える等、試験のために余分な手間を要していた。
発明の要約
本発明は上記問題点に鑑み、特別な回線試験用カード、試験用ポート（図９におけるＰｔ）等を設けることなく、通常の運用時に使用するインタフェースカードやポート等に対する設定を変更することによって簡易に回線試験用の接続の設定を実現可能な構成を提供することを目的とする。
この目的の達成のため、本発明では、複数の入力ポートに供給された入力信号を夫々任意の複数の出力ポートに出力し得る構成よりなり、運用回線を接続する回路と回線試験用回路とを任意に設定可能な信号切換手段を設けた。又、この信号切換手段における回路接続設定はソフトウェアプログラムの設定によってなされる構成とし、さらに、信号切換手段は複数の切換スイッチ手段がマトリクス状に配列された構成とした。
このような構成の伝送装置では各ユニット、各ポートには本来実運用向け、試験用の区別、基幹系回線用、アクセス回線用の区別等の区別は全く無く、それらは使用時に信号切換手段を制御するソフトウェアプログラムの設定によって自由に行える。したがってこの伝送装置は如何なる運用状況、試験状況にも適用可能であり、伝送装置の適用性を大幅に向上可能である。
又、このようにソフトウェアの設定によって自由にクロスコネクト設定が可能なため、遠隔の伝送装置が試験対象である場合でも、手元の伝送装置を介して当該試験対象の伝送装置の信号切換手段のクロスコネクト設定を制御することによって当該試験対象伝送装置が設置された場所に出向くことなく遠隔操作にて試験用の回路接続設定を行える。したがって試験時の操作員の手間を省くことが可能であり、回線試験の効率化が可能となる。
発明を実施するための最良の形態
以下図面と共に本発明の実施例の構成について説明する。
図１０は本発明の一実施例による伝送装置ＮＥの構成を説明するための図である。
同図の伝送装置ＮＥは、図９のスイッチングユニットＳＬｊ等に該当するスイッチングユニット（クロスコネクトマトリクスユニット）ＳＬ、同インタフェースカードＩＦｎ，ＩＦｍに該当する入力側インタフェースカードＩＦｉ、及び出力側インタフェースカードＩＦｏよりなる。これらスイッチングユニットＳＬ及びインタフェースカードＩＦｉ，ＩＦｏは、夫々伝送装置のスロットに個々に差し込まれている。
図１１は伝送装置ＮＥに設けられたこれらスロットの構成を示す。図中、矩形に分割された領域が各々スロットを示し、これらスロットに上記スイッチングユニット、インタフェースカード等が差し込まれることによって伝送装置ＮＥが構成される。尚、図中、丸印はこれらインタフェースカードに設けられた外部接続ポートを示す。
図１０において、各入力側、出力側の各インタフェースカードＩＦｉ，ＩＦｏについて、同一のスロット番号Ｓｌｏｔ１乃至Ｓｌｏｔ６のカードは実際には一体構造とされており、夫々図１１に示すスロットＳ１乃至Ｓ６に差し込まれている。又、Ｓｌｏｔ５（Ｓ５）は現在空き状態であり、インタフェースカードは実装されていない状態である。更に、各インタフェースカードには上記外部接続ポートを介して図１等に示す各回線をなす外部ケーブルＷが接続されている。
同１０に戻り、上記スイッチングユニットＳＬは、実体的には、入力側クロスコネクトマトリクスユニットＸｉ，中央クロスコネクトマトリクスユニットＸｍ，出力側クロスコネクトマトリクスユニットＸｏ，更に、これらの間に介在する中間クロスコネクトマトリクスユニットＸｉｉ，Ｘｏｏ、並びにＢＬＳＲ（Ｂｉ−ｄｉｒｅｃｔｉｏｎａｌ  Ｌｉｎｅ  Ｓｗｉｔｃｈｅｄ  Ｒｉｎｇ）用スイッチとして機能するクロスコネクトマトリクスユニットＸｂよりなる。なお図示のごとく、入力側クロスコネクトマトリクスユニットＸｉは入力側インタフェースボードＩＦｉに接続され、出力側クロスコネクトマトリクスユニットＸｏには出力側インタフェースボードＩＦｏが接続される。又、各クロスコネクトマトリクスユニットＸｉ、Ｘｉｉ、Ｘｍ、Ｘｏｏ、Ｘｏ及びＢＬＳＲ用スイッチとしてのクロスコネクトマトリクスユニットＸｂ間も所定の配線によって接続されている。
ここで各クロスコネクトマトリクスユニットは切換スイッチの集合よりなり、夫々の切換スイッチがマトリクス状に配置され互いに接続されている。図１０ではＸｂ以外は入出力部の切換スイッチのみ矩形で示しており、Ｘｂについては個々の切換スイッチの表示は全く省略している。これらのスイッチの縦方向の配列数は入出力インタフェースカードの各ポートが収容可能なパスの総数分設けられており、もってそれらの数に対応する回線分のクロスコネクト接続設定が可能となる。又、これらクロスコネクトマトリクスユニットの動作、即ちクロスコネクト設定は、入力端末４０を介して入力される外部信号により、制御部３０を介してソフトウェア的に制御される。このような制御により、例えば実線Ｃｏで示す運用時のクロスコネクト設定及び二点鎖線Ｃｔ（図１乃至図５におけるＴ，Ｔａに対応する）で示す試験用クロスコネクト設定等、任意のクロスコネクト設定が可能である。
このように本発明ではスイッチングユニットＳＬとしてのユニットのうち、少なくとも中央クロスコネクトマトリクスユニットＸｍでは実際のスロット、ポート、パスを伝送される各信号との関連性は固定的でなく、任意に設定可能である。このようにハードウェア的制限を取り除いたことにより、後述の如く、各インタフェースカード、各ポートを自由に回線試験用物理インタフェースであるＴＡＰ（テストアクセスポート）として設定登録可能となる。その結果、回線試験用インタフェースカード（図９のＩＦｎ）等を別途用意する必要が無く運用向けのインタフェースカードを流用可能なため、回線試験に要する費用を効果的に削減可能である。
又、所定のセレクタを利用する構成のパスについて試験を行う場合、パススイッチ用のセレクタと同じセレクタ構成を構築するように上記クロスコネクタ設定を実施することによって実現可能である。これは、クロスコネクトマトリクスユニットにおいてマトリクス構成の切換スイッチが全てのパスに対して設けられていることによって可能となる。図１２は上記セレクタ構成の一例としてＤＣＰ（Ｄｒｏｐ  ａｎｄ  Ｃｏｎｔｉｎｕｅ  ｏｎ  Ｐｒｏｔｅｃｔｉｏｎ）スイッチ構成を実現した例（後述）を示す。
又、上記標準に則った試験モードを設定したユーザの設定情報を制御部３０が有する不揮発性メモリに記録し、設定ユーザ以外のユーザによる試験モード設定変更を禁止することが望ましい。具体的にはこのようなユーザの情報はユーザ毎に設定モード内容を記録することで実現可能である（後述）。なお、記録された設定情報の削除はだれでも実施可能な構成とすることにより、設定ユーザが何らかの理由で制御装置３０にアクセス不可となった場合等でも設定を解除可能とし、もってそのような場合でも長期間において無駄に運用が停止される等の運用上の支障をきたさないようにすることが望ましい。
更に、何らかの理由でコマンドが入力されるポートへの接続が切断された場合（ＬＡＮケーブルの抜け等）に制御部３０のＣＰＵに対して割り込みが発生するよう構成することによってＣＰＵは接続切断を自動的に認識可能な状態とし、ＣＰＵにより当該回線試験状態を解除する処理をソフトウェア的に実施するように構成することが望ましい。図１３はこの様子を例示する。なお、このような試験状態解除処理は、クロスコネクト設定用データベースとして、回線試験データを含むデータベースと回線試験データを含まないデータベースを予め制御部３０内部に備えるよう構成し、解除時には回線試験データを含まないデータベースをアクティブにするように制御すればよい。
以下に上述の構成について、更に詳細に説明を行う。
まず、従来の運用回線接続に利用しているスロット、ポートをＴＬ１（Ｔｒａｎｓａｃｔｉｏｎ  Ｌａｎｇｕａｇｅ  １）のコマンドの設定によって、回線試験専用に設定及び解除することを実現する構成について説明する。具体的には所定のポートについて、回線試験用ポート（ＴＡＰ）としての任意の数字を割り振れるようにし、０のみをＴＡＰとして使わないこととする。それにより、内部でＴＡＰが何番になっているかを認識して、０以外であれば何番のＴＡＰになっていると識別できる。
このようにＴＡＰを登録しておくことによって、各ポートを試験用と運用向けとに区別することができ、試験用のポートを別の目的で使用されることや、誤って試験ポートからの信号を運用回線に接続する等の危険を回避することが可能となる。
この場合、回線試験装置（５０）と伝送装置（ＮＥ）、ネットワーク監視装置は例えば図１４に示す如くに接続される。
ここで例えばスロットＳｌｏｔ４のポート１をＴＡＰとして設定とした場合、伝送装置内のハードウェア上のＴＡＰは図１５に示す如くの構成となる。スロットＳｌｏｔ４の接続に対応するＩ／ＯはすべてＴＡＰとして認識される。このように内部的にソフトウェア上の認識が変わるだけで、ハードウェア上の区別は存在しない。
ＴＡＰ登録を実施するためのテーブルの構成について図１６Ａ，１６Ｂに例示する。ここでは、ユーザＩＤごとのＴＡＰ  Ｎｏ使用状況を示す表（図１６Ａ）と、ＴＡＰ情報テーブル（図１６Ｂ）とを設ければよい。ユーザＩＤごとの登録情報を記録しておくことにより、以下の如くの管理が可能となる。
回線試験の接続設定について複数の設定方法があり、具体的には上記のＭＯＮＥＦ，ＳＰＬＴＥＦなどの接続モードがある。ＳＰＬＴＥＦなどのモードでは送受信している運用回線を切断して、ＴＡＰに接続する動作を実施するため、もし誤って運用中の回線に対してこのような動作を実施してしまうと運用回線断等の大きな問題となる。そこで、試験用接続モードの変更は設定ユーザー以外不可とすることが望ましい（ユーザＩＤに入力をログイン条件とすることにより可能となる）。更に、ＴＡＰ設定がなされたポートに対するクロスコネクト変更を禁止し、手動によるクロスコネクトの変更を不可とすることにより、試験中の状態で設定変更を不可とし、問題の発生を未然に防止することが望ましい。
図１６Ａ，１６Ｂに示す如くの表を用いると、どのユーザーがどのポートを使用しているかの情報が管理可能であり、それによって、試験のモード変更を実施する際は試験設定したユーザーと一致するかどうかを確認（ユーザＩＤの確認等）して、一致しなければ実行を受け付けないよう構成することが望ましい。
上記各テーブルの利用方法のアルゴリズムを図１７、図１８に示す。
図１７はＴＡＰ設定時の動作を示す。この場合、ステップＳ１にてＴＡＰ設定コマンドをユーザが入力すると、当該ＴＡＰ番号が現在登録されているか否かを調査し（ステップＳ２）、その結果登録されていない場合、ステップＳ４でＴＡＰ情報テーブルの該当する位置に当該ＴＡＰを登録する。次にステップＳ５にて、「ユーザごとのＴＡＰ  Ｎｏ．使用状況テーブル」から当該ユーザの最後の番号を取得し、その最後の番号をＴＡＰ情報テーブルの当該位置の「前のＴＡＰ  Ｎｏ．」として設定し（ステップＳ６）、最後に「ユーザごとのＴＡＰ  Ｎｏ．使用状況テーブル」の「ＴＡＰ  Ｎｏ．最後」として当該ＴＡＰ番号を設定する。
図１８はＴＡＰ削除時の動作を示す。この場合、ステップＳ１１にてＴＡＰ設定コマンドをユーザが入力すると、当該ＴＡＰ番号が現在登録されているか否かを調査し（ステップＳ２）、その結果登録されている場合、ステップＳ１４でＴＡＰ情報テーブルの該当する位置の当該ＴＡＰを削除する。次にステップＳ１５にて、当該削除位置の「前のＴＡＰ  Ｎｏ．」をたどり、そこで「次のＴＡＰ  Ｎｏ．」として当該位置の「次のＴＡＰ  Ｎｏ．」で更新する。最後にステップＳ１６にて、当該削除位置の「次のＴＡＰ  Ｎｏ．」をたどり、そこで「前のＴＡＰ  Ｎｏ．」として当該位置の「前のＴＡＰ  Ｎｏ．」で更新する。
ここで、従来は図３等に示す如く、本来回線試験は加入者側（アクセス系）回線はＥポートに、基幹網側の回線はＦポートに接続して試験するというルールがあったが、本発明装置では、いずれのポートでも上記Ｅポート、Ｆポートとして使用可能である。それは、上記の如くＴＡＰの設定を自由にできる構成としたことに付随して、Ｅポート、Ｆポートの設定にも制限をつけず、どのポートをＴｅｓｔ  Ａｃｃｅｓｓ  Ｐｏｒｔ（ＴＡＰ）として使用するかのソフトウェアによる設定によって使用するポートを決定するものとし、どの試験をするかによってＴＡＰを区別しないようにすることが可能である。
このような構成は、１つの出力パスに対して、全入力パスの中から任意の１つのパスを選択することができるハードウェアを設けることによって実現が可能になる。図１０に示すクロスコネクトマトリクスユニットによってこのようなハードウェアを提供することが可能である。このハードウェアを利用し、ソフトウェアの設定で自由にクロスコネクト設定を変更できるようにしたことで実現可能になる。
又、このような構成により、回線試験用の装置５０（図９参照）と接続されていれば、あとは所定の設定をするのみで試験を実施することが可能である。これにより、例えば図１９、図２０に示す例の如く遠隔の伝送装置ＮＥ３の試験の際においても、手元の伝送装置ＮＥ２を介して上記ＴＬ１コマンドなどの指示信号を送信することによってソフトウェア的に制御することにより、遠隔操作によって実施することが可能になる。この場合、図２０に示す如く、実線で示す運用向けのクロスコネクト設定に対し、二点鎖線で示す試験用クロスコネクト設定を行うことにより、手元の伝送装置ＮＥ２においてＳｌｏｔ４のポートに接続された試験装置５０からのケーブルをＳｌｏｔ１に接続された伝送装置ＮＥ３への運用回線へと接続設定し、Ｓｌｏｔ１のポートに接続された伝送装置ＮＥ３からの運用回線をＳｌｏｔ４に接続された試験装置５０へと接続設定することにより、遠隔の伝送装置ＮＥ３を遠隔操作し、伝送装置ＮＥ３におけるクロスコネクトマトリクスユニットの接続設定を行うことによってＮＥ３を試験対象とした回線試験が可能となる。
更に、本発明装置のクロスコネクトマトリクスユニットを、複数のパスから任意のパスを選択するセレクタとして機能させることにより、所定のセレクタを必要とする試験に適用可能とした。その際の回線試験の例として、ＤＣＰ（Ｄｒｏｐ  ａｎｄ  Ｃｏｎｔｉｎｕｅ  ｏｎ  Ｐｒｏｔｅｃｔｉｏｎ）構成を適用した例を挙げる。即ち図２１に示す如くのＲｉｎｇネットワークにおいてＢＬＳＲ（Ｂｉ−ｄｉｒｅｃｔｉｏｎａｌ  Ｌｉｎｅ  Ｓｗｉｔｃｈｅｄ  Ｒｉｎｇ）を構成している場合にＤＣＰ構成のパスネットワークを構成することができる。図２１の構成においてＤＣＰ構成を有するノードＣにおいて回線試験を実施する場合の例について説明する。なお、ここで各ノードは本発明装置と同様の伝送装置ＮＥよりなるものとする。
図２２は、試験前のＤＣＰ構成を有するノードＣのクロスコネクト設定の状態を示す。ＤＣＰ構成であるため、パス６−１−１から送信する信号は、パス１−１−１からの入力とパス３−１−２５からの入力とのうちからサービスセレクタ（Ｓ．Ｓ）を利用して選択する。従来はどちらからの入力を選択して試験をするかというルールは特に無く、パスを選択する基準が明確でなかったが、本発明の実施例では、選択する基準を決めることにより、パス選択の問題を解決することが可能である。
図２２に示す状態において回線試験を実施する場合、図２３、図２４に示す如くの接続設定を行う。即ち、パス６−１−１への出力のために設けられるサービスセレクタＳ．Ｓと同様の機能を有するパスセレクタを、伝送装置ノードＣのクロスコネクトマトリクスユニットを利用して、Ｆポートへの送信側に実現する。それにより、パス３−１−２５、パス１−１−１からの入力のうちからいずれかを選択でき、実際にパス６−１−１へ送信される信号と同じ信号をＦポートから送信する試験回路接続を設定することが可能になる。このように構成することにより、障害の発生等により実際にサービスセレクタＳ．Ｓによる切換設定が変更になった場合、上記クロスコネクトマトリクスユニットに設定したパスセレクタによってその変更に応じたパスの選択をすることができるため、実際にパス６−１−１へ送信されているものを常にＦポートから試験用装置５０へと送信してモニターすることができる。
更に、伝送装置ＮＥのハードウェアの構造を、外部接続ケーブル抜け発生時に制御部３０のＣＰＵに割り込みを発生可能な構成とすることが望ましい。即ち、何らかのアクシデントによってＬＡＮケーブルの抜け等が発生した場合に、自動的に割り込みを発生させ、制御部３０のソフトウェアによってこのケーブル抜けを認識するように構成し、それによって回線試験の設定を解除する構成とすればよい。このようなケーブル抜け時の制御部３０の動作フローチャートを図２５に示す。
即ち、ステップＳ４１にて回線試験用コマンド信号を受信するためのケーブルの抜けをハードウェア的に検出すると、ステップＳ４２にてこのハードウェアからの割り込みが発生し、ステップＳ４３にて該当ユーザによるログイン状態を解除し、その回線試験設定を解除する。次のステップＳ４４にて、該当ユーザについて図１６Ａに示すテーブルを用いてＴＡＰ  Ｎｏ．の先頭を番号を取得し、ステップＳ４５にて、図１６Ｂに示すテーブル上でそのＴＡＰ  Ｎｏ．の情報を削除する。更に、ステップＳ４６にて、次のＴＡＰ  Ｎｏ．を取得する。以下ステップＳ４５〜Ｓ４７のループによってＴＡＰ  Ｎｏ．をたどり、該当ユーザに関する全てのＴＡＰ情報を削除する。
以上の如く、本発明では、回線試験を実施する試験対象の装置において、運用回線に用いるユニット、ポート等を回線試験用に設定して利用できる。これにより、回線試験のための特別な装置構成が不要なため、試験にかかるコストを削減することができる。更に基幹系、アクセス系回線を区別なく試験できるため、試験対象の範囲を自由に広げることが可能である。更にソフトウェアを利用した遠隔操作も可能になるため、操作員は試験対象装置が設定されている局舎に出向いて試験を行う必要が無く、どこからでも試験用接続設定が可能になる。
又、所定のセレクタを構成するパスを試験する場合、本発明による方法を利用すると、実際にセレクタによって選択されている回線と同じ受信回線から信号をモニターして試験することができる。また、運用回線向けのユニット、ポートを試験用に共有することから、試験のモードによっては回線を切断する設定もあるため、他のユーザーによる回線試験の変更を禁止する構成の適用を可能とし、セキュリティ向上を可能とした。
更にケーブル抜けを自動的に認識して回線試験の設定を解除する機能を実現することにより、そのような事故によって試験が停止されている状態を無駄に継続しない構成が実現できる。この構成のさらなる効果として、ケーブルを繋ぎかえられ、モード変更が実施されることを防ぐという、セキュリティ面での効果が挙げられる。
なお、本発明は上記実施例に限られず、本発明の思想に則って様々な変形例が可能であることは言うまでもない。
【図面の簡単な説明】
図１は従来の回線試験における回路接続状態例を示す図（その１）である。
図２は従来の回線試験における回路接続状態例を示す図（その２）である。
図３は従来の回線試験における回路接続状態例を示す図（その３）である。
図４は従来の回線試験における回路接続状態例を示す図（その４）である。
図５は従来の回線試験における回路接続状態例を示す図（その５）である。
図６は通信回線網に設けられた伝送装置における基幹系回線とアクセス系回線の接続状態例を示す図である。
図７は図６に示された伝送装置における、回線接続用インタフェースカードの実装位置例を示す図である。
図８Ａ，８Ｂは伝送装置内に設けられたクロスコネクトユニットにおける接続ポートの配列例を示す図である。
図９は回線試験時の伝送装置内の回路接続状況例を示す図である。
図１０は本発明の一実施例の伝送装置の内部構成を説明するための図である。
図１１は図１０に示す伝送装置のスロット配列及び各スロットに挿入されたインタフェースカードのポート配列の構成を示す図である。
図１２は図１０に示される構成におけるＢＬＳＲ用クロスコネクトマトリクスユニットの使用例を示す図である。
図１３は図１０に示される構成において、伝送装置の外部接続ケーブル切断時にそれを検知して制御部のＣＰＵに割り込みを発生させる動作を説明するための図である。
図１４は本発明の一実施例による伝送装置と回線試験装置との接続状態例を示す図である。
図１５は図１０に示す構成において回線試験用のＴＡＰを設定した状態例を示す図である。
図１６Ａ，１６Ｂは、図１５に示すＴＡＰ設定のためのテーブル情報の構成例を示す図である。
図１７は、図１５に示すＴＡＰを設定するための動作フローチャートである。
図１８は、図１５に示すＴＡＰを設定するためデータを削除する際の動作フローチャートである。
図１９は遠隔にある伝送装置を対象として回線試験を実施する際の接続状態例を示す図である。
図２０は遠隔にある伝送装置を対象として回線試験を実施する際の手元にある伝送装置内の接続設定例を示す図である。
図２１は本発明による伝送装置を使用して、ＤＣＰ構成を有する回線網において回線試験を実施する場合について説明するための回線接続状態図である。
図２２は本発明による、ＤＣＰ構成を有する回線網において回線試験を実施する場合について説明するための伝送装置内の接続設定状態例を示す図（その１）である。
図２３は本発明による伝送装置を使用して、ＤＣＰ構成を有する回線網において回線試験を実施する場合について説明するための伝送装置内の接続設定状態例を示す図（その２）である。
図２４は本発明による伝送装置を使用して、ＤＣＰ構成を有する回線網において回線試験を実施する場合について説明するための伝送装置内の接続設定状態例を示す図（その３）である。
図２５は本発明による伝送装置に接続された回線試験用ケーブルの抜けを検出して割り込みを発生させる動作の動作シーケンスである。
【図１】
2003065652.tif 000003
【図２】
2003065652.tif 000004
【図３】
2003065652.tif 000005
【図４】
2003065652.tif 000006
【図５】
2003065652.tif 000007
【図６】
2003065652.tif 000008
【図７】
2003065652.tif 000009
【図８Ａ】
2003065652.tif 000010
【図８Ｂ】
2003065652.tif 000011
【図９】
2003065652.tif 000012
【図１０】
2003065652.tif 000013
【図１１】
2003065652.tif 000014
【図１２】
2003065652.tif 000015
【図１３】
2003065652.tif 000016
【図１４】
2003065652.tif 000017
【図１５】
2003065652.tif 000018
【図１６Ａ】
2003065652.tif 000019
【図１６Ｂ】
2003065652.tif 000020
【図１７】
2003065652.tif 000021
【図１８】
2003065652.tif 000022
【図１９】
2003065652.tif 000023
【図２０】
2003065652.tif 000024
【図２１】
2003065652.tif 000025
【図２２】
2003065652.tif 000026
【図２３】
2003065652.tif 000027
【図２４】
2003065652.tif 000028
【図２５】
2003065652.tif 000029
【国際調査報告】
2003065652.tif 000030
2003065652.tif 000031
2003065652.tif 000032
2003065652.tif 000033